(57)【要約】【課題】施工時の安心感および作業性を向上することができる照明器具等を提供する。【解決手段】照明器具１０は、外部の無線コントローラ（無線機器）３２と無線通信する通信部１５と、外部からの指令を受信する指令受信部１６と、光源を含む点灯部１７と、通信部１５、指令受信部１６および点灯部１７に接続された制御部１８とを備える。指令受信部１６は、通信部１５が無線通信を行う無線コントローラ３２を特定する無線機器特定指令を受信する。制御部１８は、受信した無線機器特定指令に基づき、通信部１５を介して無線コントローラ３２との無線通信を試行して、無線通信の信頼性に関する通信信頼性情報を取得し、取得した通信信頼性情報に基づいて、点灯部１７の点滅、調光および調色のうちの少なくとも１つを行う。【選択図】図５Ｂ
2018142430.tif 000002
【特許請求の範囲】
【請求項１】
外部の無線機器と無線通信する通信部と、外部からの指令を受信する指令受信部と、光源を含む点灯部と、前記通信部、前記指令受信部および前記点灯部に接続された制御部とを備え、
前記指令受信部は、前記通信部が無線通信を行う前記無線機器を特定する無線機器特定指令を受信し、
前記制御部は、受信した前記無線機器特定指令に基づき、前記通信部を介して前記無線機器との無線通信を試行して、前記無線通信の信頼性に関する通信信頼性情報を取得し、取得した前記通信信頼性情報に基づいて、前記点灯部の点滅、調光および調色のうちの少なくとも１つを行う
照明器具。
【請求項２】
前記通信信頼性情報は、前記通信部が受信した電波強度であり、
前記制御部は、前記電波強度の大きさに基づく予め定められた複数の点灯パターンで、前記点灯部の点滅、調光および調色のうちの少なくとも１つを行う
請求項１に記載の照明器具。
【請求項３】
前記通信信頼性情報は、前記通信部が検出した異常情報であり、
前記制御部は、前記異常情報に基づく予め定められた複数の点灯パターンで、前記点灯部の点滅、調光および調色のうちの少なくとも１つを行う
請求項１または２に記載の照明器具。
【請求項４】
前記通信信頼性情報に基づく無線通信の信頼性が、定められた基準よりも低い場合、
前記制御部は、前記無線機器特定指令における前記無線機器とは異なる他の無線機器を抽出し、前記他の無線機器の識別情報を、前記点灯部の点滅回数によって報知する
請求項１〜３のいずれか１項に記載の照明器具。
【請求項５】
さらに、通信確立を行った前記無線機器を特定する情報を記憶する記憶部を有し、
前記制御部は、前記記憶部における当該無線機器を特定する情報の有無に応じて、前記点灯部の点滅、調光および調色のうちの少なくとも１つを行う
請求項１〜４のいずれか１項に記載の照明器具。
【請求項６】
前記通信信頼性情報は、一定時間の通信回数による通信成否に関する情報、または、一定時間の電波強度に関する情報であり、
前記制御部は、前記記憶部に、前記通信成否に関する情報および前記電波強度に関する情報のうちの少なくとも一方を記憶させる
請求項５に記載の照明器具。
【請求項７】
前記指令受信部は、赤外線センサを含み、
前記無線機器特定指令は、赤外線通信によって前記指令受信部に受信される
請求項１〜６のいずれか１項に記載の照明器具。
【請求項８】
請求項１〜７のいずれか１項に記載の複数の照明器具と、
前記照明器具の前記通信部と無線通信する無線機器と、
前記照明器具の前記指令受信部に指令を送信する設定器と
を備える照明システム。
【発明の詳細な説明】
【技術分野】
【０００１】
本発明は、照明器具およびこの照明器具を備える照明システムに関する。
【背景技術】
【０００２】
従来、複数の照明器具と、複数の照明器具を無線で制御するコントローラとを有する照明システムが知られている（特許文献１参照）。この照明システムでは、照明器具とコントローラとの無線の通信品質を判断するため、無線の通信品質に関する試験結果に応じて照明器具の発光状態を変更することで、通信品質を知らせている。
【先行技術文献】
【特許文献】
【０００３】
【特許文献１】特開２０１４−２４１２７０号公報
【発明の概要】
【発明が解決しようとする課題】
【０００４】
特許文献１に記載された照明システムでは、通信品質を試験するための試験信号を、全ての照明器具に無線で一斉に送信し、全ての照明器具の発光状態を一斉に変更することで通信品質を知らせている。そのため、照明器具を設置した施工業者にとっては、照明器具の発光状態という結果しかわからず、照明器具１台ごとの通信品質が本当に確保できているのかという不安が残る。また、施工業者にとっては、通信品質の良否を判断した経緯がわからず、通信品質が不良であった場合に、どのような対策をとればよいのか判断しにくい場合がある。
【０００５】
そこで、本発明は、施工時の安心感および作業性を向上することができる照明器具および照明システムを提供する。
【課題を解決するための手段】
【０００６】
本発明の照明器具の一態様は、外部の無線機器と無線通信する通信部と、外部からの指令を受信する指令受信部と、光源を含む点灯部と、前記通信部、前記指令受信部および前記点灯部に接続された制御部とを備え、前記指令受信部は、前記通信部が無線通信を行う前記無線機器を特定する無線機器特定指令を受信し、前記制御部は、受信した前記無線機器特定指令に基づき、前記通信部を介して前記無線機器との無線通信を試行して、前記無線通信の信頼性に関する通信信頼性情報を取得し、取得した前記通信信頼性情報に基づいて、前記点灯部の点滅、調光および調色のうちの少なくとも１つを行う。
【０００７】
本発明の照明システムの一態様は、複数の上記照明器具と、前記照明器具の前記通信部と無線通信する無線機器と、前記照明器具の前記指令受信部に指令を送信する設定器とを備える。
【発明の効果】
【０００８】
本発明の照明器具および照明システムは、施工時の安心感および作業性を向上することができる。
【図面の簡単な説明】
【０００９】
【図１】実施の形態１に係る照明システムを正面から見た概略図である。
【図２】実施の形態１に係る照明システムにおける照明器具および無線コントローラの配置の一例を示す平面図である。
【図３】実施の形態１に係る照明器具および無線コントローラの通信信頼性情報を確認する様子を示す図である。
【図４】実施の形態１に係る照明器具の制御構成を示すブロック図である。
【図５Ａ】実施の形態１に係る照明器具の通信確立方法（ペアリング方法）を示すフローチャートである。
【図５Ｂ】（ａ）は実施の形態１に係る照明器具において通信確立を行う様子を示す図であり、（ｂ）は（ａ）の次のアクションを示す図である。
【図６Ａ】実施の形態２に係る照明器具の通信確立方法を示すフローチャートである。
【図６Ｂ】（ａ）は実施の形態２に係る照明器具において通信確立を行う様子を示す図であり、（ｂ）は（ａ）の次のアクションを示す図である。
【図７Ａ】実施の形態３に係る照明器具であって、通信確立失敗後の対処方法を示すフローチャートである。
【図７Ｂ】（ａ）は実施の形態３に係る照明器具であって、通信確立失敗後の対処方法を示す図であり、（ｂ）は（ａ）の次のアクションを示す図である。
【図８Ａ】実施の形態４において、アドレス設定の有無の確認方法を示すフローチャートである。
【図８Ｂ】（ａ）は実施の形態４において、アドレス設定の有無を確認する様子を示す図であり、（ｂ）は（ａ）の次のアクションを示す図である。
【図９Ａ】実施の形態５に係る照明器具の通信確立方法を示すフローチャートである。
【図９Ｂ】（ａ）は実施の形態５に係る照明器具において通信確立を行う様子を示す図であり、（ｂ）は（ａ）の次のアクションを示す図である。
【発明を実施するための形態】
【００１０】
以下、実施の形態に係る照明システムおよび照明器具について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略または簡略化する。
【００１２】
（実施の形態１）
［１−１．照明システムの構成］
図１は、実施の形態１に係る照明システム１００を正面から見た概略図である。図２は、照明システム１００における照明器具および無線コントローラの配置の一例を示す平面図である。図３は、照明システム１００における照明器具および無線コントローラの通信信頼性情報を確認する様子を示す図である。
【００１３】
照明システム１００は、複数の照明器具１１ａ、１２ａ、１３ａ、１１ｂ、１２ｂ、１３ｂ、１１ｃ、１２ｃ、１３ｃと、設定器２０と、コントローラ３０とを備える。コントローラ３０は、複数の無線コントローラ（無線機器）３２ａ、３２ｂ、３２ｃと、複数の無線コントローラ３２ａ〜３２ｃを束ねる上位コントローラ３１とで構成されている。また、照明システム１００は、設定器２０とは別に、操作端末４０を備えている。
【００１４】
なお、図１では、９台の照明器具１１ａ、１２ａ、１３ａ、１１ｂ、１２ｂ、１３ｂ、１１ｃ、１２ｃ、１３ｃが示されているが、実際は、建物の造営材（天井など）に１００台以上の照明器具が設置されることがある。また、それに伴い、無線コントローラ３２ａ、３２ｂ、３２ｃも４台以上設置されることがある。以下、照明器具１１ａ、１２ａ、１３ａ、１１ｂ、１２ｂ、１３ｂ、１１ｃ、１２ｃ、１３ｃ・・を総称して照明器具１０と呼ぶ場合がある。無線コントローラ３２ａ、３２ｂ、３２ｃ・・を総称して無線コントローラ３２と呼ぶ場合がある。
【００１５】
まず、複数の照明器具１０、設定器２０および複数の無線コントローラ３２の通信系統について説明する。
【００１６】
図１および図２に示すように、複数の照明器具１１ａ、１２ａ、１３ａのそれぞれと無線コントローラ３２ａとは、無線ｒ１により通信可能である。無線ｒ１による通信方式としては、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。照明器具１１ｂ、１２ｂ、１３ｂと無線コントローラ３２ｂとの関係、照明器具１１ｃ、１２ｃ、１３ｃと無線コントローラ３２ｃとの関係についても同様である。
【００１７】
図３に示すように、複数の照明器具１０のそれぞれと、設定器２０とは、指向性を有する赤外線通信ｉｃによって通信可能である。例えば、照明器具１１ａの近くに設定器２０を位置させ、照明器具１１ａに向けて赤外線通信ｉｃで信号を送ることで、対象とする照明器具１１ａのみに指令を送信することができる。照明器具１０のそれぞれは、設定器２０からの赤外線信号を個別に受信することができるように、例えば、５ｍほど間隔をあけて天井に設置されている。なお、赤外線通信ｉｃに限られず、レーザ光またはＮＦＣ（Near  Field  Communication）など１対１で対応をとることが可能な無線を用いて、照明器具１０に対して個別に信号を送信してもよい。
【００１８】
操作端末４０は、ＷｉＦｉ（登録商標）などの無線ｒ２によって、上位コントローラ３１と通信可能となっている。操作端末４０は、上位コントローラ３１に対して、照明器具１０の通常時の点灯動作に関する設定を行う。
【００１９】
以下、照明器具１０、設定器２０およびコントローラ３０のそれぞれの構成について説明する。
【００２０】
［１−２．照明器具］
照明器具１０は、例えば、ＬＥＤライトであり、住宅等の建物の造営材に設置される。なお、照明器具１０は、ＬＥＤライトに限られず、シーリングライトであってもよい。以下、照明器具１０のうち照明器具１１ａを代表例に挙げて説明する。
【００２１】
図４は、照明器具１１ａの制御構成を示すブロック図である。
【００２２】
照明器具１１ａは、外部の無線コントローラ３２ａと無線通信する通信部１５と、外部からの指令を受信する指令受信部１６と、光源を含む点灯部１７と、通信部１５、指令受信部１６および点灯部１７に接続された制御部１８と、制御部１８に接続された記憶部１９とを備えている。
【００２３】
通信部１５は、アンテナおよび無線モジュールなどにより構成されている。通信部１５は、前述したように、無線ｒ１を用いて無線コントローラ３２ａと通信可能である。
【００２４】
指令受信部１６は、例えば、赤外線センサであり、赤外線通信ｉｃで送信された指令を受信する。指向性を有する赤外線通信ｉｃを用いることで、例えば設定器２０から個別に指令を受信することができる。
【００２５】
本実施の形態において、指令受信部１６は、通信部１５がどの無線コントローラ３２と無線通信を行うかを特定する無線機器特定指令を、設定器２０から受信する。無線機器特定指令の中には、無線コントローラ３２ａのＭＡＣアドレス、利用チャンネル、および、照明器具１１ａの管理アドレス（例えばＵＤＩＤ：Unique  Device  IDentifier）などに関する設定情報が含まれている。
【００２６】
点灯部１７は、例えば、白色光、赤色光、緑色光または青色光を発する複数の発光ダイオードを含んでいる。点灯部１７は、通信部１５と無線コントローラ３２ａとの無線通信の信頼性に関する通信信頼性情報に基づいて、予め定められた点灯パターン（例えば点滅、調光、調色、消灯、フェード）の点灯を行う。通信信頼性情報とは、例えば、電波強度の強弱、管理アドレスの異常や利用チャンネルの異常、所定時間における通信回数の異常などに関する情報である。
【００２７】
制御部１８は、ＣＰＵ（central  processing  unit）により構成され、点灯部１７の作動状態を制御する。制御部１８は、受信した無線機器特定指令に基づき、通信部１５を介して特定された無線コントローラ３２ａとの通信を試行する。この通信の試行によって、制御部１８は、通信部１５と無線コントローラ３２ａとの通信信頼性情報を取得し、取得した通信信頼性情報に基づいて、点灯部１７の点灯状態を変更させる。
【００２８】
記憶部１９は、ＲＡＭ（Random  Access  Memory）およびＲＯＭ（read  only  memory）などにより構成される。記憶部１９には、上記の通信信頼性情報に対応する予め定められた点灯パターン（点滅、調光、調色、消灯、フェード）が保存されている。また、記憶部１９からは、必要に応じて上記の通信信頼性情報に基づく所定の点灯パターンが読み出される。
【００２９】
［１−３．設定器］
設定器２０は、例えば、簡易リモコン（リモートコントローラ）であり、赤外線ＬＥＤなどの発信器を備えている。設定器２０は、設定器２０から照明器具１０への一方向通信である赤外線通信ｉｃを用いて、照明器具１０の通信部１５に無線機器特定指令を送信する。この無線機器特定指令には、所定の照明器具１０と所定の無線コントローラ３２とを通信確立（ペアリング）させるための設定情報が含まれている。
【００３０】
また、設定器２０は、取得すべき通信信頼性情報に応じて複数種類の操作キー、例えば、電波強度に関する情報を取得する操作キー、管理アドレスや利用チャンネルの異常に関する情報を取得する操作キー、または、所定時間における通信回数の異常に関する情報を取得する操作キーを有していてもよい。
【００３１】
［１−４．コントローラ］
コントローラ３０は、複数の照明器具１０を管理する管理サーバである。コントローラ３０は、図１に示すように、上位コントローラ３１と、上位コントローラ３１にケーブルで接続された無線コントローラ３２ａ、３２ｂ、３２ｃとを有している。
【００３２】
上位コントローラ３１は、照明器具１０の作動を制御する指令を、無線コントローラ３２を介して照明器具１０に送信する。
【００３３】
無線コントローラ３２は、照明器具１０と無線ｒ１で通信する無線機器である。無線機器は、無線ルータや無線中継器であってもよいし、パーソナルコンピュータや携帯通信端末であってもよい。
【００３４】
照明器具１０と無線コントローラ３２とが相手を特定して無線通信を行うためには、施工時等において、照明器具１０と無線コントローラ３２との通信確立（ペアリング）を行っておく必要がある。以下、照明器具１０および無線コントローラ３２の通信確立について説明する。
【００３５】
［１−５．照明器具および無線コントローラの通信確立］
次に、照明器具１０と無線コントローラ３２との通信確立（ペアリング）について説明する。以下、照明器具１１ａを代表例に挙げ、照明器具１台ずつ通信確立を行う方法について説明する。
【００３６】
図５Ａは、照明器具１１ａの通信確立方法を示すフローチャートである。図５Ｂの（ａ）は、照明器具１１ａにおいて通信確立を行う様子を示す図であり、（ｂ）は（ａ）の次のアクションを示す図である。
【００３７】
まず、設定器２０を用いて、１００％点灯している照明器具１１ａに無線機器特定指令を送信する。これにより、照明器具１１ａは無線機器特定指令を受信する（Ｓ１１）。無線機器特定指令は、例えば、照明器具１１ａが、特定の無線コントローラ３２ａと無線通信を行う指令である。
【００３８】
無線機器特定指令を受信した照明器具１１ａは、通信部１５を介して無線コントローラ３２ａとの無線通信を試行する（Ｓ１２）。本実施の形態では、無線通信の施行によって、電波強度に関する通信信頼性情報を取得する。無線通信を試行した後、照明器具１１ａは点滅状態となる。この点滅は、無線通信の試行を終了して、取得した通信信頼性情報をこれから報知することを示すスタート合図である。このスタート合図（点滅）により施工業者は、照明器具１１ａと無線コントローラ３２ａとの通信信頼性情報が、今から開示されることを視覚的に把握する。
【００３９】
次に照明器具１１ａは、第１段階として、無線通信の試行の結果である通信信頼性情報に応じて点灯状態を変化させる（Ｓ１３）。具体的には、照明器具１１ａは、無線コントローラ３２ａの電波強度の強弱を３段階の調光で表現する。例えば、電波強度が強ければ１００％点灯し、電波強度が中であれば３０％点灯し、電波強度が弱ければ０％点灯（消灯）する。この点灯状態は、例えば、数秒間保持される。この点灯状態の保持により、施工業者は、照明器具１１ａと無線コントローラ３２ａとの電波強度の強さを視覚的に把握する。
【００４０】
第１段階の点灯を終えた照明器具１１ａは、無線コントローラ３２ａとの通信確立を実行する（Ｓ１４）。通信確立を実行した後、照明器具１１ａは点滅状態となる。この点滅は、通信確立を終了して、通信確立の結果をこれから報知することを示すエンド合図である。このエンド合図（点滅）により施工業者は、照明器具１１ａと無線コントローラ３２ａとの通信確立の結果が、今から開示されることを視覚的に把握する。
【００４１】
次に、照明器具１１ａの制御部１８は、通信確立が成功したか失敗したかを判断する（Ｓ１５）。そして、第２段階として、通信確立の成否に応じ、点灯状態を変化させる。具体的には、通信確立が成功した場合は成功パターンである下限点灯を行い（Ｓ１６）、通信確立が失敗した場合は失敗パターンである１００％点灯を行う（Ｓ１７）。この点灯状態により、施工業者は、照明器具１１ａと無線コントローラ３２ａとの通信確立の成否を視覚的に把握する。なお、照明器具１１ａは、成功パターンとして１００％点灯し、失敗パターンとして下限点灯するように設定されていてもよい。
【００４２】
次に、施工業者は、照明器具１１ａのこれまでの点灯状態の経緯から、次に示すアクション（対策行動）をとる。
【００４３】
例えば、図５Ｂの（ｂ）に示すように、Ｓ１３において電波強度が強く、かつ、Ｓ１６において通信確立が成功している場合は、照明器具１１ａと無線コントローラ３２ａとの通信確立が問題なく終了したと判断する。また、Ｓ１３において電波強度が中レベルで、かつ、Ｓ１６において通信確立が成功している場合も、特に問題なしと判断する。一方、Ｓ１３において電波強度が弱いと認識した場合は、Ｓ１６において通信確立が成功していても、不安定な状態にあるのでこのまま放置せず、他の無線コントローラ（例えば３２ｂ）との接続を試みる。または、無線コントローラ３２ａとの間に中継器を入れたり、新たな無線コントローラを追加したりする。
【００４４】
また、例えば、Ｓ１３において電波強度が強いにもかかわらず、Ｓ１７のように通信確立が失敗している場合は、電波環境以外に問題があると判断し、照明器具１１ａおよび無線コントローラ３２ａの販売メーカへ問い合わせを行う。また、Ｓ１３において電波強度が中レベルで、かつ、Ｓ１７のように通信確立が失敗している場合は、上記と同様の対策をとる。また、Ｓ１３において電波強度が弱く、かつ、Ｓ１７において通信確立が失敗している場合は、電波環境に問題があると判断し、他の無線コントローラ（例えば３２ｂ）との接続を試みる。または中継器を入れたり、新たな無線コントローラを追加したりする。
【００４５】
これらの作業によって、照明器具１１ａと無線コントローラ３２ａとの通信確立を終了する。以下、他の照明器具１０についても１台ずつ同様に通信確立を行う。
【００４６】
この照明器具１０の通信確立方法によれば、無線通信の試行から通信確立に至る経緯において、無線通信の電波状態を視覚的に把握することができる。そのため、施工業者が照明器具１０の電波状態の良否を実感し、また、電波状態が良くない照明器具１０および無線コントローラ３２等に対しては確信を持って対策をとることができる。これにより、施工時の安心感および作業性を向上することができる。
【００４７】
（実施の形態２）
次に、実施の形態２に係る照明器具１０および無線コントローラ３２の通信確立について説明する。実施の形態２では、通信信頼性情報が電波強度ではなく、通信の際の異常情報である点で実施の形態１と異なる。
【００４８】
図６Ａは、実施の形態２に係る照明器具１１ａの通信確立方法を示すフローチャートである。図６Ｂの（ａ）は照明器具１１ａにおいて通信確立を行う様子を示す図であり、（ｂ）は（ａ）の次のアクションを示す図である。
【００４９】
まず、照明器具１１ａは無線機器特定指令を受信する（Ｓ１１）。次に、照明器具１１ａは、通信部１５を介して無線コントローラ３２ａとの無線通信を試行する（Ｓ１２）。
【００５０】
本実施の形態では、このステップＳ１２において、無線通信が異常であるという異常情報に関する通信信頼性情報を取得する。次に、照明器具１１ａは、第１段階として、異常情報に応じて点灯状態を変化させる（Ｓ１３）。具体的には、照明器具１１ａは、異常情報を３段階の調光で表現する。例えば、通信タイムアウトなどの異常であれば１００％点灯し、混信などの異常であれば３０％点灯し、照明器具１１ａの管理アドレスが重複しているなどの異常であれば０％点灯（消灯）する。この点灯状態は、例えば、数秒間保持される。この点灯状態の保持により、施工業者は、照明器具１１ａと無線コントローラ３２ａとの異常状態を視覚的に把握する。なお、照明器具１１ａの調光の違いは、異常レベルの高低を表わすものでなく、照明器具１１ａの状態を知らせるための表現の違いである。
【００５１】
第１段階の点灯を終えた照明器具１１ａは、無線コントローラ３２ａとの通信確立を実行する（Ｓ１４）。通信確立を実行した後、照明器具１１ａは点滅状態となる。この点滅は、通信確立の結果をこれから報知することを示すエンド合図である。
【００５２】
次に、照明器具１１ａの制御部１８は、通信確立が成功したか失敗したかを判断するが、本実施の形態の場合、異常情報をすでに取得しているので、通信確立は失敗となる。すなわち、照明器具１１ａは、失敗パターンである１００％点灯となる（Ｓ１７）。
【００５３】
次に、施工業者は、照明器具１１ａのこれまでの点灯状態の経緯から、次に示すアクションをとる。
【００５４】
例えば、図６Ｂの（ｂ）に示すように、Ｓ１３において通信タイムアウトであると認識すれば、無線コントローラ３２ａが起動されているか、無線コントローラ３２ａの管理アドレスが正しいか、利用チャンネルが正しいかなどを確認する。これらの確認事項が正しく設定されている場合は、具体的な対策として他の無線コントローラ（例えば３２ｂ）との接続を試みる。また、Ｓ１３において混信などの異常があると認識すれば、他の無線コントローラ３２との接続を試みる。また、Ｓ１３において照明器具１１ａの管理アドレスの重複があると認識すれば、照明器具１１ａの管理アドレスを確認し、管理アドレスが誤りであれば変更してリトライする。
【００５５】
これらの作業によって、照明器具１１ａと無線コントローラ３２ａとの通信確立を終了する。以下、他の照明器具１０についても１台ずつ同様に通信確立を行う。
【００５６】
この照明器具１０の通信確立方法によれば、無線通信の試行から通信確立に至る経緯において、無線通信の異常状態を視覚的に把握することができる。そのため、施工業者が照明器具１０の異常状態を実感し、また、異常状態にある照明器具１０および無線コントローラ３２等に対しては確信を持って対策をとることができる。これにより、施工時の安心感および作業性を向上することができる。
【００５７】
（実施の形態３）
次に、実施の形態３に係る照明器具１０および無線コントローラ３２の通信確立について説明する。実施の形態３では、実施の形態１または２において通信確立に失敗した場合の、その後の対処方法について説明する。
【００５８】
図７Ａは、実施の形態３に係る照明器具１１ａであって、通信確立失敗後の対処方法を示すフローチャートである。図７Ｂの（ａ）は通信確立失敗後の対処方法を示す図であり、（ｂ）は（ａ）の次のアクションを示す図である。
【００５９】
まず、実施の形態１と同様にステップＳ１１〜Ｓ１７を実行する。次に、図５の（ｂ）に示された項目のように、結果的に通信確立に失敗したのか、または、電波強度が弱かったのかという判断確認を行う（Ｓ１８）。通信確立に失敗しておらず、また、電波強度が弱くない場合（Ｓ１８のＮｏ）、すなわち適切に通信確立を行った場合は、このフローを終了する。一方、通信確立に失敗した、または、電波強度が弱かった場合（Ｓ１８のＹｅｓ）は、他の無線コントローラ３２との無線通信ができないかを試みる（Ｓ１９）。具体的には、電波強度が強または中の他の無線コントローラ３２が存在しないか探す。他の無線コントローラ３２との無線通信を試行した後、照明器具１１ａは点滅状態となる。この点滅により、施工業者は、照明器具１１ａと他の無線コントローラ３２との無線通信の試行が終了したことを視覚的に把握する。ただし、この時点では、他の無線コントローラ３２がどれであるかを把握できない。
【００６０】
そこで、照明器具１１ａが他の無線コントローラ３２と通信確立できそうな場合は、他の無線コントローラ３２の管理アドレス（識別情報）を、点灯部１７の点滅回数によって通知する（Ｓ２０）。例えば、通信確立できそうな無線コントローラ３２ｂの管理アドレスが「Ｂ」であれば、アルファベットの２番目を示すように２回点滅させて、管理アドレスＢの無線コントローラ３２ｂと通信確立できることを知らせる。この点滅回数により、施工業者は、照明器具１１ａと、どの無線コントローラ３２ｂとが通信確立できるかを視覚的に把握する。照明器具１１ａは、通信確立できそうな他の無線コントローラ３２の識別情報を報知した後、点滅状態となってエンド合図を出す。
【００６１】
次に、施工業者は、図７Ｂの（ｂ）に示すように、照明器具１１ａの点滅回数によって示された無線コントローラ３２ｂに対して通信確立を試みる。これらの作業によって、照明器具１１ａと無線コントローラ３２ｂとの通信確立を終了する。以下、他の照明器具１０についても１台ずつ同様に通信確立を行う。
【００６２】
この照明器具１０の通信確立方法によれば、無線通信の試行から通信確立に至る経緯において、通信確立することができる他の無線コントローラ３２を視覚的に把握することができる。そのため、施工業者が確信を持って他の無線コントローラ３２との通信確立を行うことができる。これにより、施工時の安心感および作業性を向上することができる。
【００６３】
（実施の形態４）
次に、実施の形態４に係る照明器具１０および無線コントローラ３２の通信確立について説明する。実施の形態４では、照明器具１１ａの通信確立が設定済み（管理アドレスを設定済み）である場合について説明する。本実施の形態は、例えば、日をまたがって施工作業をした場合、どこまで設定作業を行ったか失念した場合、また、単純に、目の前の照明器具１１ａがどういう設定状態にあるかを確認したい場合などに適用される。
【００６４】
図８Ａは、実施の形態４において、アドレス設定の有無の確認方法を示すフローチャートである。図８Ｂの（ａ）はアドレス設定の有無を確認する様子を示す図であり、（ｂ）は（ａ）の次のアクションを示す図である。
【００６５】
まず、１００％点灯などの任意の状態にある照明器具１１ａは、通信確立に関する確認指令を受信し（Ｓ１１）、自身がいずれかの無線コントローラ３２と通信確立済みであるか否かを確認する。（Ｓ１１Ａ）。ここで、照明器具１１ａが通信確立をまだ行っていない場合（Ｓ１１ＡのＮｏ）は、図８Ａの右側に示すステップＳ１２〜Ｓ１７に進む。ステップＳ１２〜Ｓ１７については、実施の形態１と同様なので説明を省略する。
【００６６】
照明器具１１ａがすでに通信確立済である場合（Ｓ１１ＡのＹｅｓ）は、通信確立済であることを点灯状態によって知らせる（Ｓ１１Ｂ）。具体的には、照明器具１１ａの記憶部１９に所定の無線コントローラ３２と通信確立を行った記録がある場合は、色温度を３０００Ｋから５０００Ｋに変化させることで、通信確立済であることを知らせる。この色温度の変化により、施工業者は、照明器具１１ａと所定の無線コントローラ３２とが通信確立済であることを視覚的に把握する。ただし、この時点では、どの無線コントローラ３２と通信確立済であるかを把握できない。
【００６７】
そこで、照明器具１１ａは、通信確立済である無線コントローラ３２の管理アドレスを、点灯部１７の点滅回数によって通知する（Ｓ１１Ｃ）。例えば、通信確立済である無線コントローラ３２ａの管理アドレスが「Ａ」であれば、アルファベットの１番目を示すように１回点滅させて、管理アドレスＡの無線コントローラ３２ａと通信確立済であることを知らせる。この点滅回数により、施工業者は、照明器具１１ａと、どの無線コントローラ３２とが通信確立済であることを視覚的に把握する。照明器具１１ａは、通信確立できそうな他の無線コントローラ３２の識別情報を報知した後、点滅状態となってエンド合図を出す。
【００６８】
照明器具１１ａがすでに通信確立済であるので、施工業者は、図８Ｂの（ｂ）に示すように、他の照明器具１０について通信確立を設定する作業に移る。もしくは、照明器具１１ａの設定を一旦リセットして照明器具１１ａの通信確立を設定しなおしてもよい。
【００６９】
このように本実施の形態の照明器具１１ａの指令受信部１６は、通信確立に関する確認指令を受信し、制御部１８は、受信した確認指令に基づき、自身がいずれかの無線コントローラ３２と通信確立済みであるか否かを確認し、取得した通信確立に関する情報に基づいて、点灯部１７の点滅、調光および調色のうちの少なくとも１つを行う。
【００７０】
この照明器具１０の通信確立方法によれば、照明器具１０の通信確立が設定済であるか否かを視覚的に把握することができる。そのため、施工業者が照明器具１０の通信確立の有無を実感することができ、また、通信確立を行っていない照明器具１０に対しては確信を持って次の行動をとることができる。これにより、施工時の安心感および作業性を向上することができる。
【００７１】
（実施の形態５）
次に、実施の形態５に係る照明器具１０および無線コントローラ３２の通信確立について説明する。実施の形態５では、瞬間状況でなく所定期間における通信信頼性情報を取得する点で実施の形態１と異なる。本実施の形態は、例えば、照明システム１００の施工完了後における仮運用時に適用される。
【００７２】
図９Ａは、実施の形態５に係る照明器具１１ａの通信確立方法を示すフローチャートである。図９Ｂの（ａ）は照明器具１１ａにおいて通信確立を行う様子を示す図であり、（ｂ）は（ａ）の次のアクションを示す図である。
【００７３】
まず、照明器具１１ａは無線機器特定指令を受信する（Ｓ１１）。次に、照明器具１１ａは、通信部１５を介して無線コントローラ３２ａとの無線通信を試行する（Ｓ１２）。
【００７４】
本実施の形態では、このステップＳ１２において、一定時間の通信回数による通信成否に関する情報、または、一定時間の電波強度に関する情報である通信信頼性情報を取得する（Ｓ３３）。例えば、一定時間の通信回数とは、一定時間における所定情報量の転送回数であり、一定時間における電波強度とは、一定時間における電波強度の平均値である。
【００７５】
これら通信信頼性情報を取得後、照明器具１１ａは、通信成否に関する情報または電波強度に関する情報に応じて点灯状態を変化させる（Ｓ３４）。具体的には、照明器具１１ａは、通信信頼性情報を３段階の調光で表現する。例えば、通信成功率９９％以上であれば１００％点灯し、通信成功率９９％未満９５％以上であれば３０％点灯し、通信成功率９５％未満であれば０％点灯（消灯）する。この点灯状態は、例えば、数秒間保持される。この点灯状態の保持により、施工業者は、照明器具１１ａと無線コントローラ３２ａとの通信成功率を視覚的に把握する。照明器具１１ａは、通信成功率に関する情報を報知した後、点滅状態となってエンド合図を出す。
【００７６】
次に、施工業者は、照明器具１１ａの点灯状態から、次に示すアクションをとる。
【００７７】
例えば、図９Ｂの（ｂ）に示すように、Ｓ３３において通信成功率９９％以上であると認識すれば、対策不要とする。また、Ｓ３３において通信成功率９９％未満９５％以上であると認識した場合も対策不要とする。ただし、Ｓ３３において通信成功率９５％未満であると認識すれば、他の無線コントローラ３２と接続を試行する。
【００７８】
これらの作業によって、照明器具１１ａと無線コントローラ３２ａとの通信確立を終了する。以下、他の照明器具１０についても１台ずつ同様に通信確立を行う。
【００７９】
この照明器具１０の通信確立方法によれば、瞬間状況でなく所定期間において、照明器具１０と無線コントローラ３２との通信成功率を視覚的に把握することができる。そのため、施工業者が照明器具１０の通信成功率の良否を実感し、また、通信成功率が低い照明器具１０および無線コントローラ３２等に対しては確信を持って対策をとることができる。これにより、施工時の安心感および作業性を向上することができる。
【００８０】
（効果等）
本実施の形態に係る照明器具１０は、外部の無線コントローラ（無線機器）３２と無線通信する通信部１５と、外部からの指令を受信する指令受信部１６と、光源を含む点灯部１７と、通信部１５、指令受信部１６および点灯部１７に接続された制御部１８とを備える。指令受信部１６は、通信部１５が無線通信を行う無線コントローラ３２を特定する無線機器特定指令を受信する。制御部１８は、受信した無線機器特定指令に基づき、通信部１５を介して無線コントローラ３２との無線通信を試行して、無線通信の信頼性に関する通信信頼性情報を取得し、取得した通信信頼性情報に基づいて、点灯部１７の点滅、調光および調色のうちの少なくとも１つを行う。
【００８１】
この構成によれば、無線通信の試行から通信信頼性情報の取得に至るまでの無線通信状態を視覚的に把握することができる。そのため、施工業者が照明器具１０の無線通信状態の良否を実感しながら、無線通信状態が良くない照明器具１０等に対しては確信を持って次のアクションをとることができる。これにより、施工時の安心感および作業性を向上することができる。
【００８２】
また、通信信頼性情報は、通信部１５が受信した電波強度であり、制御部１８は、電波強度の大きさに基づく予め定められた複数の点灯パターンで、点灯部１７の点滅、調光および調色のうちの少なくとも１つを行ってもよい。
【００８３】
この構成によれば、無線通信の試行から電波強度に関する通信信頼性情報の取得に至るまでの電波強度の状況を視覚的に把握することができる。そのため、施工業者が照明器具１０の電波強度の良否を実感し、また、電波強度が良くない照明器具１０等に対しては確信を持って次のアクションをとることができる。これにより、施工時の安心感および作業性を向上することができる。
【００８４】
また、通信信頼性情報は、通信部１５が検出した異常情報であり、制御部１８は、異常情報に基づく予め定められた複数の点灯パターンで、点灯部１７の点滅、調光および調色のうちの少なくとも１つを行ってもよい。
【００８５】
この構成によれば、無線通信の試行から異常情報に関する通信信頼性情報の取得に至るまでの無線通信の異常の有無を視覚的に把握することができる。そのため、施工業者が照明器具１０の異常の有無を実感し、また、異常状態にある照明器具１０等に対しては確信を持って次のアクションをとることができる。これにより、施工時の安心感および作業性を向上することができる。
【００８６】
また、通信信頼性情報に基づく無線通信の信頼性が、定められた基準よりも低い場合、制御部１８は、無線機器特定指令における無線コントローラ（例えば３２ａ）とは異なる他の無線コントローラ（例えば３２ｂ）を抽出し、他の無線コントローラ３２ｂの識別情報を、点灯部１７の点滅回数によって報知してもよい。
【００８７】
この構成によれば、通信確立することができる他の無線コントローラ３２を視覚的に把握することができる。そのため、施工業者が確信を持って他の無線コントローラ３２との通信確立を行うことができる。これにより、施工時の安心感および作業性を向上することができる。
【００８８】
照明器具１０は、さらに、通信確立を行った無線コントローラ３２を特定する情報を記憶する記憶部１９を有し、制御部１８は、記憶部１９における当該無線コントローラ３２を特定する情報の有無に応じて、点灯部１７の点滅、調光および調色のうちの少なくとも１つを行ってもよい。
【００８９】
この構成によれば、照明器具１０の通信確立が設定済であるか否かを視覚的に把握することができる。そのため、施工業者が照明器具１０の通信確立の有無を実感し、また、通信確立を行っていない照明器具１０等に対しては確信を持って次のアクションをとることができる。これにより、施工時の安心感および作業性を向上することができる。
【００９０】
また、通信信頼性情報は、一定時間の通信回数による通信成否に関する情報、または、一定時間の電波強度に関する情報であり、制御部１８は、記憶部１９に、通信成否に関する情報および電波強度に関する情報のうちの少なくとも一方を記憶させてもよい。
【００９１】
この構成によれば、所定期間における無線通信状況を視覚的に把握することができる。そのため、施工業者が照明器具１０の無線通信状態の良否を実感し、また、無線通信状態が良くない照明器具１０等に対しては確信を持って次のアクションをとることができる。これにより、施工時の安心感および作業性を向上することができる。
【００９２】
また、指令受信部１６は、赤外線センサを含み、無線機器特定指令は、赤外線通信によって指令受信部１６に受信されてもよい。
【００９３】
このように、指向性を有する赤外線通信を用いることで、個別に無線機器特定指令を受信することができる。これにより、１台ずつ着実に照明器具１０の通信確立を実行することができる。また、特許文献１に記載された照明システムでは、試験信号を無線で送信しているため、無線の通信品質が良くなければ試験自体を正確に行なえない場合もあるが、本実施の形態のように赤外線通信を用いることで確実に無線機器特定指令を受信し、無線通信の試行を行うことが可能となる。
【００９４】
本実施の形態に係る照明システム１００は、複数の上記照明器具１０と、複数の照明器具１０の通信部１５と無線通信する無線コントローラ（無線機器）３２と、照明器具１０の指令受信部１６に指令を送信する設定器２０とを含む。
【００９５】
この構成によれば、設定器２０から無線機器特定指令を受信し、無線通信を試行してから通信信頼性情報の取得に至るまでの無線通信状況を視覚的に把握することができる。そのため、施工業者が照明器具１０と無線コントローラ３２との無線通信状態の良否を実感し、また、無線通信状態が良くない照明器具１０等に対しては確信を持って次のアクションをとることができる。これにより、施工時の安心感および作業性を向上することができる。
【００９６】
（その他の形態）
以上、照明器具１０および照明システム１００について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【符号の説明】
【００９７】
１０、１１ａ、１２ａ、１３ａ、１１ｂ、１２ｂ、１３ｂ、１１ｃ、１２ｃ、１３ｃ  照明器具
１５    通信部
１６    指令受信部
１７    点灯部
１８    制御部
１９    記憶部
２０    設定器
３２、３２ａ、３２ｂ、３２ｃ  無線コントローラ（無線機器）
１００  照明システム
ｉｃ    赤外線通信
ｒ１  無線
【図１】
2018142430.tif 000003
【図２】
2018142430.tif 000004
【図３】
2018142430.tif 000005
【図４】
2018142430.tif 000006
【図５Ａ】
2018142430.tif 000007
【図５Ｂ】
2018142430.tif 000008
【図６Ａ】
2018142430.tif 000009
【図６Ｂ】
2018142430.tif 000010
【図７Ａ】
2018142430.tif 000011
【図７Ｂ】
2018142430.tif 000012
【図８Ａ】
2018142430.tif 000013
【図８Ｂ】
2018142430.tif 000014
【図９Ａ】
2018142430.tif 000015
【図９Ｂ】
2018142430.tif 000016